(57)【特許請求の範囲】
【請求項１】
縦方向に少なくとも３つの層が接合されて成る浮き本体と、この浮き本体の中心に釣糸を挿通するための糸通し孔を有する糸通し管と、を備え、
樹脂材料により形成される上段の層、人工大理石もしくはセラミック材料により形成される中段の層及び金属もしくはゴム材料により形成される下段の層の各層が前記糸通し管に沿って積層されることを特徴とする釣用浮き。
【請求項２】
各層は、中空又は中実に形成されると共に、相互に分離可能に結合するようにしたことを特徴とする請求項1に記載の釣用浮き。
【請求項３】
各層の接合部に沿ってＯリングが装着されていることを特徴とする請求項1又は２に記載の釣用浮き。
【発明の詳細な説明】
【０００１】
【産業上の利用分野】
本発明は、海釣等で使用する釣用浮き、特に中通し浮きに関する。
【０００２】
【従来の技術】
中通し浮きは、中央に釣糸を挿通するための糸通し孔を有し、釣糸に直接装着するようにしたもので、仕掛けの飛距離を伸ばし、また仕掛けにおける糸絡みが少ないことから、この釣用浮きは最近よく使用されるようになっている。かかる中通し浮きは通常、軽い天然木材等の材料により形成され、その表面には色付け（カラーリング）が施される。
【０００３】
浮き表面に色付けを行うことにより、視認性を向上すると共に、商品としての付加価値を高めることができる。この色付けに際して、例えば、中通し浮きの頂部には、トップカラーとして黄色，橙色もしくは赤色系の鮮やかな塗装が行われる。そして、このトップカラーの下段は別の色で着色され、このように中通し浮きの表面を数種類の色を用いて上下方向に色分けし、浮き表面の彩色を行っている。色付けのための塗装は、手塗りで行うことができ、或いは中通し浮きを中心軸（糸通し孔）のまわりに回転させながら、筆もしくは刷毛等によって着色塗装することもできる。
【０００４】
ところで、このように色付けを行う場合、色塗りの境目、即ち色分けによる境界部に沿って黒線を引くようにしている。特に色分けの境界部を着色塗装する場合、その作業自体に細心の注意を要するが、精確に塗装できないと外観品質を損ねることになる。そのため上記のように境界部に黒線を引くことにより、その部分を言わばマスキングするというものである。またこのように境界部に黒線を引くことによって、色分けされた浮き全体の見た目を引き締めることができ、外観品質上、優れた効果を発揮する。
【０００５】
【発明が解決しようとする課題】
上記のように色分けの境界部に沿って黒線を引くことにより、一定の効果を得ることができるものの、その線引き塗装に手間がかかり、色付け作業全体としての工数が増えてしまう。従って、浮き表面の色付けによる効果を維持したまま、しかも色付け作業に手間がかからないこの種の釣用浮きが待望されていた。
【０００６】
本発明はかかる実情に鑑み、実質的に浮き表面の色付けを容易化し、しかも優れた外観品質等を備えた釣用浮きを提供することを目的とする。
【０００７】
【課題を解決するための手段】
本発明の釣用浮きは、縦方向に少なくとも３つの層が接合されて成る浮き本体と、この浮き本体の中心に釣糸を挿通するための糸通し孔を有する糸通し管と、を備え、樹脂材料により形成される上段の層、人工大理石もしくはセラミック材料により形成される中段の層及び金属もしくはゴム材料により形成される下段の層の各層が前記糸通し管に沿って積層されることを特徴とする。
【０００８】
また、本発明の釣用浮きにおいて、各層は、中空又は中実に形成されると共に、相互に分離可能に結合するようにしたものである。
【００１０】
更に、本発明の釣用浮きにおいて、各層の接合部に沿ってＯリングが装着されるものである。
【００１１】
【作用】
本発明によれば、浮き本体を好適には３層構造とし、その各層はそれぞれ別個に形成され、それらを相互に一体に接合することにより浮き本体を構成するというものである。各層は、機械加工又は成形加工等により精度よく形成することができるため、それらを接合して成る浮き本体において、層同士の接合部をぴったりと合わせることができる。このように各層を精確に接合することにより、浮き本体の高い外観品質を得ることができる。従来、色分けの境界部に沿って引かれていた黒線は、必ずしも必要でなくなり、また各層を予め着色しておくことにより色分け作業を省略することができる。
【００１２】
また、本発明によれば、浮き本体を構成する各層は、相互に分離可能に結合する。これにより各層毎に適宜交換してそれらの組合せを自由に設定することができる。各層の組合せに応じて、所望の浮き性能、或いは外観品質等を得ることができる。例えば、３層構造における上段の層を樹脂材料により、また中段の層を人工大理石もしくはセラミック材料により、更に下段の層を金属材料によりそれぞれ形成したものによれば、この種の浮きとして優れた効果を発揮することができる。
【００１３】
更に、本発明によれば、各層の接合部に沿ってＯリングが装着される。層相互間は接合部にてぴったりと合わさるが、そこに好適には黒色のＯリングを装着することにより、従来の層境界部に引かれた黒線と同様に、浮き全体の見た目を引き締める等の効果を発揮する。またかかるＯリングによれば、仮に接合部に隙間が生じた場合等、その部分を隠して浮きの外観品質を保証すると共に、その隙間からの浸水を防止することができる。
【００１４】
【実施例】
以下、図１及び図２に基づき、本発明による釣用浮きの好適な実施例を説明する。この実施例において、本発明を中通し浮きに適用するものとする。なお、この中通し浮きは、所謂、当たり浮きや水中浮きとして使用することができる。
【００１５】
図１に示すように本実施例の釣用浮き１は、縦方向に少なくとも３つの層が接合されて成る浮き本体１０と、この浮き本体１０の中心に釣糸２を挿通するための糸通し孔２１を有する糸通し管２０と、を備えている。この例では、浮き本体１０は、上段層１１、中段層１２及び下段層１３を有しており、これらの層１１，１２，１３が糸通し管２０に沿って積層される。
【００１６】
また、各層１１，１２，１３を形成するに当たり、種々の材料を用いることができる。例えば上段層１１に対して樹脂或いは木を、また中段層１２に対して樹脂、セラミック、大理石もしくは人工大理石、木、ゴム板、金属或いは木を、更に下段層１３に対して金属，ゴム等をそれぞれ用いて形成することができる。
本実施例においては、好適には上段層１１を樹脂材料により、中段層１２を人工大理石もしくはセラミック材料により、そして下段層１３を金属材料によりそれぞれ形成するものとする。なお、下段層１３を金属製とすることにより、岩等との衝突に対して高い強度，剛性を得ることができる。
【００１７】
各層１１，１２，１３の形成方法としては、機械加工又は成形加工等により形成することができる。機械加工等によれば、精度よく形成することができ、層相互間の接合部の精度を高めることができる。また上段層１１、中段層１２及び下段層１３は、図２に示したように中空構造を有している。このように中空構造とする場合には、それぞれの層１１，１２，１３の内部に発泡材１４，１５，１６が充填される。このように発泡充填を行うことにより、各層１１，１２，１３個別に及び釣用浮き１全体として、軽量化を図ると共に一定の強度もしくは剛性を確保することができる上、浮き内への浸水を防ぐことができる。
【００１８】
各層１１，１２，１３を接合する場合、接着剤により或いは螺合により層相互間を接合することができる。その場合、図２に示されるように上段層１１及び中段層１２の接合部１７や中段層１２及び下段層１３の接合部１８にて、段付を設けると接合強度を得る上で好ましい。これらの接合部１７，１８に上記のように適宜の接着剤を適用し、或いはネジ部を形成することができる。また糸通し管２０の上端部２０ａ及び下端部２０ｂは、上段層１１及び下段層１３とそれぞれ嵌着するようになっている。これらの嵌着部に対して適宜の接着剤を適用して結合することができる。
【００１９】
この実施例によれば、浮き本体１を３層構造として構成する。浮き本体１を構成する各層１１，１２，１３は、機械加工等によって精度よく形成することができるため、高い真円度等を確保し、それらを接合して成る浮き本体１において、層同士の接合部１７，１８をぴったりと合わせることができる。このように各層１１，１２，１３を精確に接合する結果、浮き本体１の高い外観品質を得ることができる。従って、従来色分けの境界部に沿って引かれていた黒線は、必ずしも必要でなくなり、手間のかかる工程が省略可能となる。また各層１１，１２，１３を予め異なる色又は模様で着色しておくことにより、色分け作業を省略することができる。
【００２０】
本発明の別の実施例において、基本構成は上記実施例と同様のものとして、特に上段層１１、中段層１２及び下段層１３は、相互に分離可能に結合される。この場合、接合部１７，１８に上述したようなネジ部を形成することにより、各層１１，１２，１３を簡単に接合し、また浮き本体１を簡単に分解することができる。これにより各層毎に適宜交換してそれらの組合せを自由に設定することができる。各層の組合せに応じて、所望の浮き性能、或いは外観品質等を得ることができる。
【００２１】
また、このように各層１１，１２，１３を交換可能式に接合する場合、例えば上段層１１及び下段層１３には釣糸２を挿脱するためのスリット（図示せず）を設けると効果的である。つまり、上段層１１及び下段層１３をそれぞれ別のものと交換する際、それらの層１１，１３を中段層１２から取り外すと共に、各スリットから釣糸２を外すことにより該釣糸２を切断することなく、簡単に上段層１１及び下段層１３を交換することができる。
【００２２】
本発明の更に別の実施例において、上段層１１及び中段層１２の接合部１７や中段層１２及び下段層１３の接合部１８にて、Ｏリング（図示しないが、一般には黒色）が装着される。かかるＯリングを装着する場合、接合部１７，１８に装着用の凹溝が形成される。
【００２３】
このように接合部１７，１８に沿ってＯリングを装着することにより、従来の層境界部に引かれた黒線と同様に、浮き本体１全体の見た目を引き締める等の効果を発揮する。またかかるＯリングによれば、仮に接合部１７，１８に隙間が生じた場合等、その部分を隠して浮き本体１の外観品質を保証すると共に、その隙間からの浸水を防止することができる。
【００２４】
なお、上記実施例において下段層１３は金属製とするのが好ましいが、その容積が、上段層１１及び中段層１２に対して比較的小さい場合には、浮き本体１全体として一定の浮力を確保し得る限度内で、下段層１３を中実の金属製としてもよい。また、上段層１１及び中段層１２についても、比較的軽量材料を用いる場合には、中実構造とすることが可能である。
【００２５】
【発明の効果】
以上説明したように本発明によれば、従来行っていた色分けやその境界部の黒線を引く等の工程を省くことができ、しかも所望の色付けと同等の効果を得ることができる。従って、実質的に浮き表面の色付けを容易化し、しかも優れた外観品質等を実現することができる。また、浮きを構成する各層の材料を適宜選定することにより、強度をはじめとして所望の浮き性能を得ることができる等の利点を有している。
【図面の簡単な説明】
【図１】本発明の釣用浮きの実施例における斜視図である。
【図２】本発明の釣用浮きの実施例における部分破断側面図である。
【符号の説明】
１    釣用浮き
２    釣糸
１０    浮き本体
１１    上段層
１２    中段層
１３    下段層
１４，１５，１６    発泡材
１７，１８    接合部
２０    糸通し管
２１    糸通し孔
【図１】
0003553193.tif 000002
【図２】
0003553193.tif 000003